(57)【要約】【課題】  スプリンクラーヘッドを天井下地材に固定する際の位置出し作業の手間や時間が削減できるスプリンクラーヘッドの位置出し装置を提供する。【解決手段】  スプリンクラーヘッドの位置出し装置１は、給水配管へと続くフレキシブル配管Ｆの末端に接続されたスプリンクラーヘッド３を保持可能な保持部１０と、保持部１０から外方に伸びたアーム２０が設置されており、アーム２０は天井下地材４と接触可能な基準面２１を有しており、保持部１０に設置されたスプリンクラーヘッド３と基準面２１との間の軸方向の距離を変更可能な調整部を備える。【選択図】  図２
0003232171.tif 000002
【実用新案登録請求の範囲】
【請求項１】
給水配管へと続くフレキシブル配管の末端に接続されたスプリンクラーヘッドを保持可能な保持部と、
保持部から外方に伸びたアームが設置され、
アームは天井下地材と接触可能な基準面を有しており、
保持部に設置されたスプリンクラーヘッドと基準面との間の軸方向の距離を変更可能な調整部を備えることを特徴とするスプリンクラーヘッドの位置出し装置。
【請求項２】
保持部は筒状であり、内部にスプリンクラーヘッドが収容される請求項１記載のスプリンクラーヘッドの位置出し装置。
【請求項３】
アームは保持部の外面に設置されている請求項１または請求項２記載のスプリンクラーヘッドの位置出し装置。
【請求項４】
調整部は、保持部の内部に設置されたベースであり、保持部の外部からベースの位置を調整可能である請求項１〜請求項３何れか１項記載のスプリンクラーヘッドの位置出し装置。
【請求項５】
ベースの一面にスプリンクラーヘッドが載置され、保持部との位置を調整可能なネジ構造を有する請求項４記載のスプリンクラーヘッドの位置出し装置。
【請求項６】
調整部は、保持部に対してアームの位置を軸方向に移動可能とした請求項１〜請求項３何れか１項記載のスプリンクラーヘッドの位置出し装置。
【請求項７】
保持部に挿通された筒にアームが設置されており、筒が保持部に対して軸方向に移動可能とした請求項６記載のスプリンクラーヘッドの位置出し装置。
【請求項８】
天井下地材は床面側から野縁、野縁受けの順に交差して積層され、吊りボルトによって室内上部に吊設されており、アームの基準面は野縁と接触される請求項１〜請求項７の何れか１項記載のスプリンクラーヘッドの位置出し装置。
【考案の詳細な説明】
【技術分野】
【０００１】
本考案は、天井や壁面に設置されるスプリンクラーヘッドの位置出し装置に関するものである。
【背景技術】
【０００２】
スプリンクラーヘッドは建物内の天井面や壁面に設置されている。スプリンクラーヘッドは、一端側に天井裏や壁の内側に敷設された配管と接続可能なノズルを有しており、他端側には感熱分解部が設けられている。平時において感熱分解部はノズルを閉止する弁体を支持している。ノズルの放出方向の延長上にはノズルから放出された消火液を周囲に飛散させるデフレクターを備えている。
【０００３】
こうした従来のスプリンクラーヘッドは、火災が発生すると、先ず火災の熱によって感熱分解部が分解作動する。感熱分解部によって押圧支持されていた弁体は、その支持力を失い配管内の水圧を受けて弁座から離脱し、本体の外部に脱落する。開放したノズルからは配管内の水が放出され、放出された水がデフレクターに衝突して周囲に飛散することで消火を行う。
【０００４】
上記のスプリンクラーヘッドは、天井面や壁面から感熱分解部のみが突出して設置されている。ノズルは天井裏に設置された配管と接続されており、この配管は固定金具によって野縁や野縁受け等の天井下地材に固定されている。特許文献１および特許文献２にはスプリンクラーヘッドが接続された配管と天井下地材との固定構造が記載されている。
【０００５】
スプリンクラーヘッドが接続された配管を天井下地材に固定するときには、スプリンクラーヘッドの天井下面から室内側への突出量を調整する。具体的にはスプリンクラーヘッドに装着されている保護キャップに取付基準線が表示されており、この取付基準線と天井下面の高さ位置が合うようにスプリンクラーヘッドの位置調整をして配管を天井下地材に固定する。
【０００６】
しかしながら、スプリンクラーヘッドが接続された配管を天井下地材に固定する時点では天井ボードが設置されていないので、作業者は天井ボードの厚さを考慮して天井下地材の下面よりも下方に取付基準線の位置を合わせて作業を行っている。その際、定規を使って天井下地材に天井ボードの厚さを加えた距離を測定する。保護キャップの取付基準線と天井下地材の下面との距離に目処を付けて、固定金具を操作して配管を天井下地材に固定する。固定後、再び定規により取付基準線と天井下地材の下面との距離を測定して微調整を行う。また、天井ボードの厚さは現場によって異なるケースがあり、現場毎に都度対応して作業が行われていた。
【０００７】
特にマンション等の共同住宅においては天井からのスプリンクラーヘッドの突出量に気を使うため、室内のスプリンクラーヘッドの突出量が均一となるように位置出し作業を丁寧に行っており、スプリンクラーヘッドの位置出し作業は非常に手間や時間がかかるものであった。
【先行技術文献】
【特許文献】
【０００８】
【特許文献１】特開平６−２６１９５６号公報
【特許文献２】特開平７−１５１２６９号公報
【考案の概要】
【考案が解決しようとする課題】
【０００９】
そこで本考案では、上記問題に鑑み、スプリンクラーヘッドを天井下地材に固定する際の位置出し作業の手間や時間が削減できるスプリンクラーヘッドの位置出し装置を提供することを目的としている。
【課題を解決するための手段】
【００１０】
上記の目的を達成するために、本考案は以下のスプリンクラーヘッドの位置出し装置を提供する。
すなわち、給水配管へと続くフレキシブル配管の末端に接続されたスプリンクラーヘッドを保持可能な保持部と、保持部から外方に伸びたアームが設置され、アームは天井下地材と接触可能な基準面を有しており、保持部に設置されたスプリンクラーヘッドと基準面との間の軸方向の距離を変更可能な調整部を備えている。
【００１１】
これによれば、スプリンクラーヘッドの位置出し装置（以下、位置出し装置とする）にスプリンクラーヘッドを保持した状態で固定作業を行うことができ、現場毎に天井ボードの厚さが異なる場合でも一つの位置出し装置で対応可能である。より具体的には、予め天井ボードの厚さに合わせて保持部に設置されたスプリンクラーヘッドと基準面との間の軸方向の距離を調整しておく。スプリンクラーヘッドが接続された配管を天井下地材に固定
する際に、片手で位置出し装置の基準面を天井下地材に接触させた状態を維持し、もう一方の手で天井下地材にフレキ配管を固定することができる。
【００１２】
位置出し装置において保持部を筒状として、その内部にスプリンクラーヘッドを収容させる構造にすることができる。アームは保持部の外面に設置可能であり、より具体的には保持部の外周面と交差して設けられ外方に延出して構成可能である。アームを２本以上設けて複数の天井下地材と接触させると位置出しの精度が向上する。
【００１３】
天井下地材は、床面側から野縁、野縁受けの順に交差して積層され、吊りボルトによって室内上部に吊設されており、アームの基準面は野縁の下面（床に対向する面）と接触される。
【００１４】
保持部に設置されたスプリンクラーヘッドと基準面との間の軸方向の距離を変更可能な調整部の構成として、保持部の内部にベースを設置して、保持部の外部からベースの位置を調整可能とすることができる。さらにベースの一面にスプリンクラーヘッドを載置して、保持部内におけるベースの位置を調整可能なネジ構造を有する。
【００１５】
あるいは調整部の構成として、保持部に対してアームの位置を軸方向に移動可能にする。より具体的には保持部に挿通された筒にアームが設置されており、筒が保持部に対して軸方向に移動可能とした。
【考案の効果】
【００１６】
上記の位置出し装置を用いることで、位置出し作業を効率よく行うことができる。さらに位置出し装置を用いることで作業者の違いによる精度のばらつきや差が無くなり、位置出し作業の品質が均一化できる。
【図面の簡単な説明】
【００１７】
【図１】本考案の位置出し装置であり、（ａ）は平面図、（ｂ）は断面図。
【図２】本考案の位置出し装置にスプリンクラーヘッドを保持した状態の断面図。
【図３】フレキシブル配管と天井下地材の斜視図。
【図４】本考案の位置出し装置を用いてスプリンクラーヘッドの位置出し手順を示しており、（ａ）はスプリンクラーヘッドを保持する前の状態、（ｂ）はスプリンクラーヘッドを保持した後にフレキ配管を固定するときの状態、（ｃ）は作業終了後の状態を示す。
【図５】本考案の位置出し装置の変形例の分解断面図。
【図６】図５の位置出し装置の要部断面図。
【考案を実施するための最良の形態】
【００１８】
本考案の位置出し装置１は、保持部１０とアーム２０から構成される。
【００１９】
保持部１０は、スプリンクラーヘッド３を内部に保持可能な円筒状をしている。保持部１０は上端が開放されており、スプリンクラーヘッド３を出し入れ可能である。下端は底面１１が設置されており、中心に牝ネジ１１ａが設けられている。
【００２０】
保持部１０の側面には開口１３が２箇所設けられている。開口１３は底面１１にまで及んでおり、内部に収容されたスプリンクラーヘッド３の状態を目視確認できる。
【００２１】
保持部１０の内部には、調整部として円形の板状をしたベース１４が設置されている。ベース１４は保持部１０の内部を摺動可能であり、ベース１４の側面と保持部１０の内周
面との間には僅かな隙間を有する。ベース１４の上面には小穴１２が設置されている。
【００２２】
牡ネジ１１ａにはボルト１５が螺入されており、ボルト１５の先端はベース１４の下面と接している。ボルト１５を回転させて先端の位置を上下に移動させることでベース１４を保持部１０の中心軸Ａの方向に沿った任意の位置に調整できる。
【００２３】
アーム２０は保持部１０の側面に設置されている。本実施形態ではアーム２０が２本設置されており、その長さは略同じである。アーム２０は細長い板状をしており、保持部１０の外周面と交差して設けられ外方に延出している。アーム２０の上面が天井下地材４（野縁４１）と接触する基準面２１となる。
【００２４】
２つのアーム２０は、保持部１０の中心軸Ａと交差する線Ｂ上に設置されている。２つのアーム２０、２０を合わせた長さは、基準面２１が接する天井下地材４（野縁４１）の設置間隔よりも長くする。こうすることで２つのアーム２０を２本の天井下地材４（野縁４１）と接触させることができ、位置出し精度が向上する。
【００２５】
スプリンクラーヘッド３は、図３に示すように一端が図示しない給水配管と接続されたフレキシブル配管Ｆの末端に設置されている。フレキシブル配管Ｆは金属製または樹脂製である。スプリンクラーヘッド３は施工時において保護キャップ３１を装着しており、外力や埃から保護されている。保護キャップ３１の外周面には、取付基準表示３２が設置されている。この表示３２のライン３３は天井ボードＣの下面位置に対応する。
【００２６】
天井下地材４は図２および図３に示すように床面側から野縁４１、野縁受け４２の順に交差して積層され、吊りボルト４３によって室内上部に吊設されている。野縁４１、野縁受け４２は金属製の長尺材であり、スプリンクラーヘッド３は野縁受け４２の上に交差して配置された角バー４４へ固定金具４５により取り付けられる。
【００２７】
固定金具４５は金属製の板材をＵ字型に屈曲して構成されており、両端には角バー４４が挿通可能な鉤型の欠如部４６が設置されている。欠如部４６に角バー４４を挿通させ、固定金具４５の内側にフレキシブル配管Ｆを収容させる。固定金具４５の湾曲部にはネジ４７が設置されており、ネジ４７を回転させてその先端をフレキシブル配管Ｆの側へ移動させるとフレキシブル配管Ｆが角バー４４に押圧される。
【００２８】
図３に示すように複数の野縁４１は所定間隔で設置されており、その上に野縁受け４２が野縁４１と交差して所定間隔で設置されている。天井ボードＣは野縁４１の下面にビス等で固定設置される。
【００２９】
天井ボードＣの厚さは各種存在するが、本考案の位置出し装置１では天井ボードＣの厚さが異なる場合でも対応可能な構造となっている。より具体的には、保持部１０の内部に設置されたベース１４の位置を、野縁４１と基準面２１を接触させたときに保護キャップ３１のライン３３の位置に天井ボードＣの下面が配置されるように予め調整する。
【００３０】
スプリンクラーヘッド３を保持部１０に収容させ、保護キャップ３１の底面３４がベース１４と接した状態にする。この状態で野縁４１と基準面２１を接触させると、保護キャップ３１のライン３３の位置に天井ボードＣの下面が配置される。
【００３１】
ベース１４の位置調整を簡易に行うために、保持部１０の外周面に天井ボードの厚さに対応した目盛や数値を表示してもよい。該表示とベース１４の位置を合わせることで容易にベース１４の位置調整が行える。
【００３２】
続いて、本考案の位置出し装置を用いたスプリンクラーヘッドの位置出し作業の手順を説明する。
【００３３】
スプリンクラーヘッド３はフレキシブル配管Ｆの末端に接続した状態で室内の上部に設置されている。この後、天井下地材４が組み立てられ、スプリンクラーヘッド３が所定の位置に設置される。
【００３４】
スプリンクラーヘッド３が設置される位置に対して角バー４４を野縁受け４２の上に取り付ける。角バー４４とフレキシブル配管Ｆとの接続は、固定金具４５により行われる。位置出し作業の前にフレキシブル配管Ｆをスプリンクラーヘッド３の設置位置に仮止めしてもよい。このときスプリンクラーヘッド３は野縁４１の下面よりも床面側に突出させて仮止めする（図４（ａ）参照）。
【００３５】
位置出し装置１は、予めベース１４の位置を天井ボードＣの厚さに合わせて調整しておく。次に位置出し装置１の保持部１０の内部にスプリンクラーヘッド３を収容する。このとき、保護キャップ３１の底面３４とベース１４が接していることを開口１３から確認する。この状態から固定金具４５のネジ４７を緩めてスプリンクラーヘッド３を移動可能とし、保持部１０を天井下地材４の方向に移動させる。アーム２０の基準面２１を野縁４１の下面（床面に対向する面）に接触させ、図４（ｂ）のように各アーム２０を、スプリンクラーヘッド３の近傍に配置された複数の野縁４１に接触させる。
【００３６】
この状態を維持しながら、固定金具４５のネジ４７を締めてフレキシブル配管Ｆを角バー４４に固定設置する。最後に位置出し装置１をスプリンクラーヘッド３から外して作業を終了する。この後、天井ボードＣが施工されると図４（ｃ）に示すように、保護キャップ３１のライン３３と天井ボードＣの下面が同じ高さに配置される。
【００３７】
上記に説明した実施形態の変形例を図５に示す。図５の変形例は、調整部として保持部１０の外周に挿通されるアーム２０を備えた筒２５を有する。図５の保持部１０の外周には螺旋溝１６が刻設されており、筒２５の内周面には螺旋溝１６と係合可能な複数の突起２６が設置されている。
【００３８】
螺旋溝１６の断面形状は図６に示すような鋸型をしており、段１６ａと斜面１６ｂを備えている。突起２６が螺旋溝１６に係止した状態において、筒２５を下方に引き抜こうとすると螺旋溝１６の段１６ａと突起２６が係合しているので筒２５は下方に移動できない。反対に筒２５を上方に押し上げる場合には、突起２６が螺旋溝１６の斜面１６ｂに沿って移動して段１６ａを乗り越えて上方に移動可能である。筒２５を下方に移動したいときは、筒２５を回転させて突起２６を螺旋溝１６に沿って移動させる。このような構造にすることで、アーム２０の基準面２１を野縁４１に接触させたときに、その衝撃で筒２５が下方に移動することを防止できる。
【００３９】
さらに異なる変形例として、先に説明したベース１４とボルト１５を固定させ、ベース１４の側面に牡ネジを形成し、保持部１０の内周面に前記牡ネジと螺合可能な牝ネジを設けて構成することも可能である。
【符号の説明】
【００４０】
１  位置出し装置  
３  スプリンクラーヘッド  
４  天井下地材  
１０  保持部  
１１、３４  底面  
１２  小穴  
１３  開口  
１４  ベース  
１５  ボルト  
１６  螺旋溝  
２０  アーム  
２１  基準面  
２５  筒  
２６  突起  
３１  保護キャップ  
３２  取付基準表示  
３３  ライン  
４１  野縁  
４２  野縁受け  
４３  吊りボルト  
４４  角バー
４５  固定金具  
【図１】
0003232171.tif 000003
【図２】
0003232171.tif 000004
【図３】
0003232171.tif 000005
【図４】
0003232171.tif 000006
【図５】
0003232171.tif 000007
【図６】
0003232171.tif 000008